(57)【要約】【課題】ランプの明るさを確保すると共にランプの輝度むらが生じず、また器具本体を薄型化且つ小型化できる照明器具を提供する。【解決手段】管中間部を中心として略一平面を渦巻状に旋回した発光管７を有する平面ランプ６を備える。平面ランプ６と点灯装置２と電源供給用の端子台３を器具本体５に内装する。平面ランプ６の面と同一面上において平面ランプ６を挟んだ片側に点灯装置２を配置すると共に他側に端子台３を配置する。【選択図】図１
2008204732.tif 000002
【特許請求の範囲】
【請求項１】
管中間部を中心として略一平面を渦巻状に旋回した発光管を有する平面ランプを備え、該平面ランプと点灯装置と電源供給用の端子台を器具本体に内装し、平面ランプの面と同一面上において平面ランプを挟んだ片側に点灯装置を配置すると共に他側に端子台を配置して成ることを特徴とする照明器具。
【請求項２】
前記器具本体に、平面ランプの面と同一面上において点灯装置と端子台を結ぶ直線と直交する仮想線上に位置して平面ランプからの光を通過させる光通過部を設けて成ることを特徴とする請求項１に記載の照明器具。
【請求項３】
前記器具本体は後面を壁面に沿わせて壁に取り付けられるものであって、平面ランプの左右方向の片側に点灯装置を配置すると共に他側に端子台を配置し、平面ランプの上方又は下方の少なくともいずれか一方に平面ランプからの光を上下方向に通過させる光通過部を設けて成ることを特徴とする請求項２に記載の照明器具。
【請求項４】
器具本体の内部に前記平面ランプの両端部に設けた口金が夫々接続されるランプソケットを設け、ランプソケットを平面ランプの光通過部側に配置して成ることを特徴とする請求項２又は請求項３に記載の照明器具。
【発明の詳細な説明】
【技術分野】
【０００１】
本発明はランプと点灯装置と端子台を内装する器具本体を備えた照明器具に関する。
【背景技術】
【０００２】
従来の照明器具は器具本体内に環状の発光管を備えたランプと点灯装置を積み重ねて配置する構造となっており、このため器具本体の厚みが厚くなるという問題がある。また環状の発光管を備えたランプで明るさを確保するには発光管の直径を長くする必要があり、このような発光管を器具本体に内装すれば器具本体が大型化する。また環状の発光管の中央は光を発光しない部分であるので輝度むらが生じるという問題もある。
【０００３】
また特許文献１には管中間部を中心として略一平面を渦巻状に巻回した発光管を有する平面ランプが提案されているが、このような平面ランプを収納するための器具本体の薄型化、小型化を図るための技術の具体的提案は未だなされていないのが現状である。
【特許文献１】特開２００６−２９４３０２号公報
【発明の開示】
【発明が解決しようとする課題】
【０００４】
本発明は上記従来の問題点に鑑みて発明したものであって、ランプの明るさを確保すると共にランプの輝度むらが生じず、また器具本体を薄型化且つ小型化できる照明器具を提供することを課題とする。
【課題を解決するための手段】
【０００５】
上記課題を解決するために本発明に係る照明器具は、管中間部を中心として略一平面を渦巻状に旋回した発光管７を有する平面ランプ６を備え、該平面ランプ６と点灯装置２と電源供給用の端子台３を器具本体５に内装し、平面ランプ６の面と同一面上において平面ランプ６を挟んだ片側に点灯装置２を配置すると共に他側に端子台３を配置して成ることを特徴とする。このように光源として管中間部を中心として略一平面を渦巻状に旋回した発光管７を有する平面ランプ６を備えているので、ランプの明るさを確保でき、またランプの輝度むらが生じず、またランプを小型化できる。また平面ランプ６の面と同一面上において平面ランプ６を挟んだ片側に点灯装置２を配置すると共に他側に端子台３を配置してあるので、器具本体５を薄型化できる。
【０００６】
また前記器具本体５に、平面ランプ６の面と同一面上において点灯装置２と端子台３を結ぶ直線ａと直交する仮想線ｂ上に位置して平面ランプ６からの光を通過させる光通過部９を設けることも好ましい。この場合、平面ランプ６、点灯装置２、端子台３、光通過部９を器具本体５にバランス良く配置できる。
【０００７】
また前記器具本体５を後面を壁面に沿わせて壁１８に取り付けられるものとし、平面ランプ６の左右方向の片側に点灯装置２を配置すると共に他側に端子台３を配置し、平面ランプ６の上方又は下方の少なくともいずれか一方に平面ランプ６からの光を上下方向に通過させる光通過部９を設けることも好ましい。この場合、平面ランプ６から発せられた光を光通過部９を介して照明器具１の上方や下方に照射できる。
【０００８】
また器具本体５の内部に前記平面ランプ６の両端部に設けた口金８が夫々接続されるランプソケット４を設け、ランプソケット４を平面ランプ６の光通過部９側に配置することも好ましい。このようにランプソケット４を平面ランプ６の光通過部９側に配置することで、点灯装置２と端子台３を結ぶ直線ａと平行な方向における器具本体５の幅を短くできる。
【発明の効果】
【０００９】
請求項１に係る発明では、光源として管中間部を中心として略一平面を渦巻状に旋回した発光管を有する平面ランプを備えているので、ランプの明るさを確保でき、またランプの輝度むらが生じず、またランプを小型化できて器具本体の小型化を図れる。また平面ランプの面と同一面上において平面ランプを挟んだ片側に点灯装置を配置すると共に他側に端子台を配置してあるので、器具本体を薄型化できる。
【００１０】
また請求項２に係る発明では、請求項１に係る発明の効果に加えて、平面ランプ、点灯装置、端子台、光通過部を器具本体にバランス良く配置でき、器具本体の薄型化を図りつつ器具本体の一層の小型化を実現できる。
【００１１】
また請求項３に係る発明では、請求項２に係る発明の効果に加えて、平面ランプから発せられた光を光通過部を介して照明器具の上方や下方に照射でき、照明器具よりも上方や下方に位置する壁面や、天井、床面などを照明できる。
【００１２】
また請求項４に係る発明では、請求項２又は請求項３に係る発明の効果に加えて、ランプソケットを平面ランプの光通過部側に配置することで、点灯装置と端子台を結ぶ直線と平行な方向に器具本体が幅広とならず、器具本体の正面視形状を見栄えのよい正方形に近づけることができる。
【発明を実施するための最良の形態】
【００１３】
以下、本発明を添付図面に示す実施形態に基づいて説明する。図１に示す照明器具１は、管中間部を中心として略一平面を渦巻状に旋回した発光管７を有する平面ランプ６を備え、壁面に沿って壁１８に取り付けられる矩形薄箱状の器具本体５に平面ランプ６を壁面と平行となるように内装し、器具本体５の壁面と反対側の前面に平面ランプ６の前方に位置する配光用パネル２０を設けたものであり、器具本体５には平面ランプ６の他に点灯装置２、電源供給用の端子台３、一対のランプソケット４などを内装している。
【００１４】
光源としての平面ランプ６は、図２に示すように全体形状が略円盤状となるよう正面視二重渦巻状に形成した発光管７と、発光管７の長さ方向の両端部に設けた口金８を備えた蛍光ランプからなる。各口金８は対応するランプソケット４に電気的及び機械的に接続してあり、これにより平面ランプ６は点灯装置２に電気的に接続される。
【００１５】
発光管７は同一仮想平面において長さ方向の中間部を中心に長さ方向の両側部分を同一方向の渦巻状に旋回することで二重渦巻状に形成したものであり、この平面ランプ６は発光管７の渦巻と正対する方向（上記仮想平面と正対する方向）から見た正面視で、中央部を含めて全体として平面状に発光する平面状発光体である。従って環状の発光管を有するランプと比較して小形で且つ明るい。また上記二重渦巻の中心となる発光管７の長さ方向の中間部は他部よりも太く形成してあり、その一部が平面ランプ６の片面側に突出している。この突出部分７ａは発光管７の最冷点となって平面ランプ６の安定した発光を実現できる。
【００１６】
発光管７に設けた一対の口金８は正面視で二重渦巻状の発光管７の中心を中心として点対称となる位置に配置してある。各口金８と該口金８の内側に位置する発光管７の長さ方向の一部の間、及び発光管７の長さ方向の一部と同部の内側に位置する発光管７の長さ方向の一部の間には充填材１０を充填してあり、また一対の口金８同士は平面ランプ６の一方の面側に配置したブリッジ１１により連結してあり、これら充填材１０及びブリッジ１１により二重渦巻状の平面ランプ６の変形が防止されている。また前記各口金８と発光管７の間及び発光管７間に設けた充填材１０はブリッジ１１の平面ランプ６側の面上に設けてあって正面視でブリッジ１１と重複しているため、充填材１０及びブリッジ１１によって発光管７が塞がれる面積が小さく光のロスが少ない。
【００１７】
各口金８の端面には平行な２本のランプピン１２を突設してあり、一方の口金８に設けたランプピン１２の突出方向と他方の口金８に設けたランプピン１２の突出方向は逆方向である。各口金８の一対のランプピン１２は円形となった口金８の端面の中央部から突出し、平面状に発光する平面ランプ６の面（即ち前記発光管７を配置した同一仮想面）に対して直交する方向（即ち前後方向）に並設されている。
【００１８】
器具本体５は正面視で横長の長方形箱状に形成してあり、厚み方向を壁面と直交する前後方向に向けた状態で壁１８に取り付けられる。器具本体５の左右方向の中央部には前方に開口する収納凹所２１を形成している。収納凹所２１は上下全長に亘って設けてあり、器具本体５の上方及び下方にも開口している。収納凹所２１の上開口２１ａ及び下開口２１ｂは平面ランプ６からの光（直射光）を上下方向に通過させる光通過部９を構成する。器具本体５の収納凹所２１を挟んだ左右方向の片側には点灯装置収納部２２を形成してあり、また他側には端子台収納部２３を形成してあり、該点灯装置収納部２２及び端子台収納部２３の夫々は収納凹所２１の側壁を構成する。点灯装置収納部２２内には点灯装置２を配設し、端子台収納部２３内には端子台３を配設してある。これにより器具本体５の正面視中央部に平面ランプ６が配置されると共に、平面ランプ６の面と同一面上において平面ランプ６を挟んだ片側に点灯装置２が配置され、他側に端子台３が配置される。点灯装置収納部２２の側面部及び端子台収納部２３の側面部で構成した収納凹所２１の両側の側面はその前端部が前側程左右方向の外側に位置するように傾斜した傾斜面３５となっている。なお端子台収納部２３及び点灯装置収納部２２を含む器具本体５は光不透過材により形成してある。
【００１９】
器具本体５の収納凹所２１には平面ランプ６の口金８を支持するランプ支持ばね２４と、ランプ支持ばね２４で支持された平面ランプ６の一対の口金８の夫々に対応する箇所に位置するランプソケット４を設けている。
【００２０】
ランプソケット４は器具本体５の上部と下部に夫々配置してあり、各ランプソケット４に平面ランプ６を取り付けた状態で、一方のランプソケット４は発光管７の上方に位置し、他方のランプソケット４は発光管７の下方に位置する。
【００２１】
各ランプソケット４は、器具本体５に対して固定されるソケット本体１３と、断面略Ｃ字状の回動体１４を備えており、回動体１４はソケット本体１３に形成した口金８側に開口する円筒状の保持部１５の内側に回動可能に収納されている。回動体１４の周方向の端部には保持部１５の前側の壁部に形成した切欠１７を介して突出する操作レバー１６を設けている。また回動体１４の内面には一対の接触子（図示せず）を固設している。
【００２２】
平面ランプ６を器具本体５に取り付けるには、器具本体５から配光用パネル２０及び前側パネル３９を取り外し、平面ランプ６を器具本体５の前方から収納凹所２１の前開口２１ｃを介して収納凹所２１内に挿入し、平面ランプ６の各口金８を対応するランプソケット４に電気的及び機械的に接続すると共に、ランプ支持ばね２４で平面ランプ６を支持させる。
【００２３】
各ランプソケット４に平面ランプ６を接続するには、図３（ａ）に示すようにＣ字状の回動体１４を前方に向けて開口させ、平面ランプ６を器具本体５への挿入方向と同一方向の後方に移動して各口金８の一対のランプピン１２を回動体１４内に挿入し、この後、操作レバー１６により各回動体１４を回動して、各回動体１４に設けた一対の接触子で一対のランプピン１２を保持すると共に該一対の接触子と一対のランプピン１２を電気的に接続する。また各ランプソケット４と平面ランプ６の接続を解除するには、上記と逆の操作をする。
【００２４】
このように本例の照明器具１は、平面ランプ６を器具本体５への挿入方向と同じ方向に移動するだけで、各口金８の一対のランプピン１２をランプソケット４の回動体１４の内側に挿入できるので、平面ランプ６と各ランプソケット４の接続が容易になる。また各口金８の一対のランプピン１２は平面ランプ６と平行な面に対して直交する方向に並設してあるので、正面視で各口金８の幅寸法を短くできて平面ランプ６の正面視の面積を小さくでき、また図１中Ｌで示す各ランプソケット４の幅寸法も短くでき、照明器具１の正面から見た面積を小さくできる。またこの場合、発光管７内において各口金８の一対のランプピン１２間に設けられるフィラメント（図示せず）は平面ランプ６と平行な面に対して直交するように配置されるので、発光管７を二重渦巻状に曲げたものであるにもかかわらず、正面視でフィラメントと該フィラメントの両側の発光管７の内面との間に形成されるクリアランスを一定とすることができる。また本例では発光管７に設けた一対の口金８は点対称の位置に配置してあるので、平面ランプ６を各ランプソケット４に接続した状態では、平面ランプ６と各ランプソケット４よりなる正面形状が略矩形状となって、該略矩形状の対角に位置する隅部に各口金８及び各ランプソケット４を配置でき、照明器具１の正面から見た面積をより小さくできる。
【００２５】
平面ランプ６を器具本体５に取り付けた状態では、収納凹所２１の上開口２１ａ及び下開口２１ｂが平面ランプ６の上方及び下方に位置し、これら上開口２１ａ及び下開口２１ｂは平面ランプ６の面と同一面上において点灯装置と端子台を結ぶ直線ａ（図１（ａ）参照）と直交する仮想線ｂ（図１（ａ）参照）上に位置する。従って平面ランプ６から上下方向に発した光は収納凹所２１の上開口２１ａ及び下開口２１ｂを介して器具本体５の上方及び下方へ直射光として照射される。
【００２６】
配光用パネル２０は器具本体５の収納凹所２１の前開口２１ｃを含む前面全体を覆うように取り付けられる。また本例の配光用パネル２０の前方には第二の配光用パネルとして前側パネル３９を配設してある。
【００２７】
配光用パネル２０はＰＢＴのような合成樹脂からなる光不透過材で形成され、横長長方形の平板状であり、図示しないビスにより器具本体５の前面に着脱自在に取付けられる。配光用パネル２０は正面から見た面積が器具本体５の前面よりも広く、周縁部を除く部分で器具本体５の前面全体を覆っており、平面ランプ６は正面視で配光用パネル２０の中央部と重複している。配光用パネル２０の左右方向の中央部には収納凹所２１の前開口２１ｃに対向する開口２５を形成してあり、開口２５は正面視で収納凹所２１の前開口２１ｃの左右方向の中央部と重複している。また開口２５の下縁は配光用パネル２０の下縁よりも上方に位置して閉塞してあり、また上縁は配光用パネル２０の上縁に至って開口している。
【００２８】
前側パネル３９はＰＢＴのような合成樹脂等からなる光不透過材で形成され、縦長長方形の平板状であり、配光用パネル２０の開口２５の周縁部における四隅に配置した複数のスペーサ１９を介して配光用パネル２０の前方に配設してある。
【００２９】
図４に示すように各スペーサ１９は筒状をしており、前側パネル３９は各スペーサ１９に挿通したビス２６により配光用パネル２０に取り付けられる。図４では各ビス２６を前側パネル３９、筒状のスペーサ１９の中央孔、配光用パネル２０を順に挿通し、各ビス２６の先端部にナット２７を螺合することで前側パネル３９を取り付けてあり、これにより前側パネル３９は配光用パネル２０の開口２５全体を覆うように配光用パネル２０の前方に配置される。また前側パネル３９の上縁と配光用パネル２０の上縁は同レベルに位置し、前側パネル３９の下縁は配光用パネル２０の下縁よりも上方に位置している。配光用パネル２０と前側パネル３９の間には上下方向及び左右方向に開口した隙間２８が形成され、隙間２８の上開口２８ａ及び下開口２８ｂは平面ランプ６からの光（配光用パネル２０の後面で反射した反射光）を上下方向に通過させる。
【００３０】
平面ランプ６から前方に照射された光は収納凹所２１の前開口２１ｃ及び配光用パネル２０の開口２５を通過して前側パネル３９に至り、該前側パネル３９の後面で反射し、この後、前側パネル３９と配光用パネル２０の間に形成された隙間２８を通過して隙間２８の上下開口２８ａ、２８ｂ及び左右開口２８ｃ、２８ｄから外方に向けて照射される。また平面ランプ６から発した光の一部は収納凹所２１の両側の傾斜面３５と配光用パネル２０の間の空間３６に至り、該空間３６を介して収納凹所２１の上開口２１ａ又は下開口２１ｂから上方又は下方に向けて照射される。これにより平面ランプ６を発光すると、器具本体５の収納凹所２１の上開口２１ａ及び下開口２１ｂから図１のハッチングで示す範囲で平面ランプ６からの光が照射されると共に、器具本体５の前方に位置する隙間２８の上下左右の開口２８ａ〜２８ｄから前側パネル３９の後面にて反射された反射光が照射される。なお図１において隙間２８から照射される光の照射範囲の図示は省略する。
【００３１】
ここで本発明の照明器具１は、光源として管中間部を中心として略一平面を渦巻状に旋回した発光管７を有する平面ランプ６を備えているので、ランプの明るさを確保でき、またランプの輝度むらが生じず、また該平面ランプ６を収納する器具本体５を小型化できる。また平面ランプ６の面と同一面上において平面ランプ６を挟んだ片側に点灯装置２を配置すると共に他側に端子台３を配置してあるので、器具本体５を薄型化できる。
【００３２】
また本例では光通過部９を構成する収納凹所２１の上開口２１ａ及び下開口２１ｂを平面ランプ６の面と同一面上において点灯装置２と端子台３を結ぶ直線ａと直交する仮想線ｂ上に配置したので、平面ランプ６、点灯装置２、端子台３、光通過部９を器具本体５にバランス良く配置でき、器具本体５の薄型化を図りつつ器具本体５の一層の小型化を実現できる。
【００３３】
また光通過部９を構成する収納凹所２１の上開口２１ａ及び下開口２１ｂは平面ランプ６の上方又は下方に位置して平面ランプ６からの光を上下方向に通過させるものであるので、平面ランプ６から発せられた光を光通過部９を介して照明器具１の上方や下方に照射できる。このため照明器具１よりも上方や下方に位置する壁面や、天井、床面などを照明できる。また光通過部９を構成する収納凹所２１の上開口２１ａを通じて器具本体５内にこもった熱を放出でき器具本体５が高温になることを防止することもできる。
【００３４】
また平面ランプ６の口金８が接続される各ランプソケット４は平面ランプ６の光通過部９側（収納凹所２１の上開口２１ａ側又は下開口２１ｂ側）に配置してあるので、点灯装置２と端子台３を結ぶ直線ａと平行な方向に器具本体５が幅広とならず、器具本体５の正面視形状を見栄えのよい正方形に近づけることができる。
【００３５】
なお本例では光通過部９を平面ランプ６の上方及び下方に設けたが、光通過部９を平面ランプ６の上方又は下方のいずれか一方にのみ設けてあっても良い。また光通過部９は開口により構成したが、光が透過可能な部材で構成しても良い。
【図面の簡単な説明】
【００３６】
【図１】本発明の実施の形態の一例の照明器具を示し、（ａ）は正面図、（ｂ）は平面図、（ｃ）は側面図である。
【図２】同上の平面ランプを示し、（ａ）は正面図、（ｂ）は下面図である。
【図３】同上の平面ランプとランプソケットとの接続作業を示す説明図であり、（ａ）は接続前の平面ランプとランプソケットを示す斜視図であり、（ｂ）は接続後のランプソケットの状態を示す斜視図である。
【図４】同上の前側パネルと配光用パネルの接続構造を示す要部拡大平面図である。
【符号の説明】
【００３７】
１  照明器具
２  点灯装置
３  端子台
５  器具本体
６  平面ランプ
７  発光管
【図１】
2008204732.tif 000003
【図２】
2008204732.tif 000004
【図３】
2008204732.tif 000005
【図４】
2008204732.tif 000006